(57)【要約】【課題】  遊技盤を重ねて保管等しても障害釘や役物の変形や損傷を防止でき、かつ前枠の閉鎖に支障を来さず、併せて、遊技盤とガラス板とのクリアランスを一定に保つ。【解決手段】  コーナー飾り４０の右上、右下、左上、左下の三角形状部分４１〜４４に備えられた同一高さの平面部４５〜４８に、障害釘２１や役物等の高さ以上の頂点となる半球状の突起５１〜５４を点状に配置する。平面部４５〜４８は、障害釘２１等の高さ以上であり、突起５１〜５４は、０．９〜１．１ｍｍの高さを有する。三角形状部分４１〜４４には、賞球残数表示部５５又は彫刻的に凹凸を有する装飾面５６〜５８を備える。【選択図】  図３
2005168647.tif 000002
【特許請求の範囲】
【請求項１】
障害釘や役物等の部品が配置された遊技領域を取り囲む様に誘導レールが取り付けられると共に、該誘導レールの外側を取り囲む様にコーナー飾りが取り付けられた遊技盤を備えた遊技機において、
前記コーナー飾りに、前記遊技盤に取り付けたときに前記遊技領域に配置された部品よりも高い頂点を有し、十分に距離をおいた３個以上の突起によって構成される突出部を設けたこと
を特徴とする遊技機。
【請求項２】
請求項１記載の遊技機において、前記突起は点状に配置されていることを特徴とする遊技機。
【請求項３】
請求項２記載の遊技機において、前記突起は、前記遊技盤の少なくとも四隅あるいは四隅の近傍に設けられていることを特徴とする遊技機。
【請求項４】
請求項３記載の遊技機において、
前記コーナー飾りは、遊技盤の右上隅部、右下隅部、左上隅部及び左下隅部のそれぞれに対応する部分に、同一高さの平面部を備え、前記突起として、前記平面部から表面側に突出する半球状の突起を少なくとも１個ずつ形成したこと
を特徴とする遊技機。
【請求項５】
請求項４記載の遊技機において、前記平面部が、前記遊技領域に取り付けられる障害釘よりも低く形成される一方、該平面部から突出する前記突起が前記障害釘よりも高く形成されていることを特徴とする遊技機。
【請求項６】
請求項４記載の遊技機において、
前記突起の高さが、ガラス板を保持するガラス保持枠を閉じたときに該ガラス板の内面に当接する高さとされていること
【請求項７】
請求項５又は６記載の遊技機において、
前記突起の前記平面部からの突出量を０．９ｍｍ〜１．１ｍｍとしたこと
を特徴とする遊技機。
【請求項８】
遊技盤の遊技領域を取り囲む様に取り付けられるコーナー飾りであって、
遊技盤の右上隅部、右下隅部、左上隅部及び左下隅部のそれぞれに対応する三角形状の部分を備え、
前記各三角形状の部分は、それぞれが同一高さの平面部を備え、
前記各三角形状の部分のそれぞれに対し、前記平面部から表面側に突出する半球状の突起を少なくとも１個ずつ一体成形により形成したこと
を特徴とするコーナー飾り。
【発明の詳細な説明】
【技術分野】
【０００１】
本発明は、遊技機及びコーナー飾りに関する。
【背景技術】
【０００２】
従来より、遊技機においては、木製の板材（所謂、ベニヤ）の表面に意匠性を有する合成樹脂製（セルロイド製、ポリエステル製等）の薄板材（所謂、セル）を貼付し、このセル上に障害釘や役物を配置した遊技盤が備えられている。この遊技盤には、障害釘や役物を配置した遊技領域を取り囲む様に誘導レールが取り付けられると共に、さらにその外側にコーナー飾りが取り付けられ、遊技領域の外へ遊技球が転がり出るのを防止している（特許文献１）。
【０００３】
こうした遊技盤は、遊技機の本体を構成する外枠に取り付ける迄の製造過程、配送過程あるいは保管過程において、相互に積み重ねられることがある。この様に遊技盤を積み重ねた際には、下側の遊技盤の障害釘が、その上に積み重ねられた遊技盤の重みによって変形する虞がある。
【０００４】
この問題を解決するため、誘導レールを遊技盤上の障害釘よりも高くしたり、コーナー飾りの外側縁部あるいは内側縁部にリブ状の突条を突設することで、遊技盤が積み重ねられたときに下側の遊技盤の障害釘が上に積み重ねられる遊技盤の背面に接触しない様にする解決方法が提案されている（特許文献２）。
【０００５】
この特許文献２の提案を採用することは、障害釘の変形防止という点では効果的ではあるが、その一方で、以下の問題がある。
【０００６】
一般的な木製の遊技盤では、その厚みが均一にならなかったり、経時的な反りやねじれ等の変形が生じることがある。この様な遊技盤の変形が生じると、誘導レールやコーナー飾りにもねじれ等の変形が生じる。また、誘導レールやコーナー飾り自体にも成形上の誤差や、遊技盤への取り付け上の誤差も発生し得る。
【０００７】
こうした変形や誤差等の影響により、遊技盤上の誘導レールやコーナー飾りがガラス板の内面に接触すると、遊技機の前枠が閉じなくなるという問題が発生する。
【０００８】
従って、特許文献２の様に、誘導レールの背を高くしたり、コーナー飾りの縁に突条を設けたりすると、こうした変形等による不具合がより一層発生し易くなるという問題があるのである。
【０００９】
なお、背を高くした誘導レールやコーナー飾りとガラス板との間にクリアランスを設ける様にすれば、特許文献２に開示された技術を用いて前記した問題が生じない様にすることは可能である。
【００１０】
しかしながら、遊技機においては、遊技球の落下動作等に悪影響を及ぼすことがない様に、通常、障害釘とガラス板との間のクリアランスは１ｍｍ程度を保つ様にしなければならないとされている。
【００１１】
従って、特許文献２の技術を用いて、背を高くした誘導レール等とガラス板との間のクリアランスをも維持しようとすると、障害釘とガラス板との間のクリアランスが大きくなり過ぎ、今度は、遊技球の落下動作等に不具合を招くこととなる。
【特許文献１】特開２００２−１２６２１１号公報（段落００１８）
【特許文献２】特開２００２−１９１７７６号公報（特許請求の範囲、段落００２０、００２２、００２７）
【発明の開示】
【発明が解決しようとする課題】
【００１２】
そこで、本発明は、重ねて保管等しても遊技盤に植設した障害釘が変形したり、役物等に傷がついたりするのを防止することができ、かつ、前枠の閉鎖に支障を来すこともない様にすることを第１の目的とする。また、併せて、遊技盤とガラス板との間のクリアランスを一定かつ安定的に保つことができる様にすることを第２の目的とする。
【課題を解決するための手段】
【００１３】
上記第１の目的を達成するためになされた本発明の遊技機は、障害釘や役物等の部品が配置された遊技領域を取り囲む様に誘導レールが取り付けられると共に、該誘導レールの外側を取り囲む様にコーナー飾りが取り付けられた遊技盤を備えた遊技機において、前記コーナー飾りに、前記遊技盤に取り付けたときに前記遊技領域に配置された部品よりも高い頂点を有し、十分に距離をおいた３個以上の突起によって構成される突出部を設けたことを特徴とする。３個以上の突起を十分に距離をおいて配置する方法としては、例えば、遊技盤の中心を通る線分で二つの領域に分け、それらの領域の一方に２個以上をさらに距離をおいて配置し、他方に１個以上を配置する様にしたり、あるいは、遊技盤を中心角１２０度で三つの領域に分けた各領域に１個以上の突起を配置するなど、種々の方法を採用することができる。
【００１４】
かかる構成を採用した本発明の遊技機によれば、コーナー飾りに突出部を設けたので、製造、保管、輸送等の過程において遊技盤を積み重ねたとき、下側の遊技盤のコーナー飾りに設けた突出部が上側の遊技盤の背面を支え、下側の遊技盤の障害釘や役物等の部品に上側の遊技盤が接触することがなく、これらの部品が変形したり傷ついたりするのを防止することができる。また、本発明の遊技機では突出部が連続することなく分かれて配置されているので、遊技盤にねじれ等があっても、コーナー飾りの突起はそれぞれの設けられた部分毎にガラス板に接触するだけなので、ガラス板を保持したガラス保持枠を閉じることができなくなる様な強い干渉を与えることがない。そして、上述した様な領域に分かれて突起が配置されているので、突起が遊技領域を取り囲む用に連続していなくても、遊技盤を積み重ねる際の支えとしての機能を損なうことがない。
【００１５】
ここで、本発明の遊技機において、前記突起を点状に配置するとよい。点状に配置することで、前述したガラス保持枠を閉じたときの干渉をより小さくすることができる。
【００１６】
また、本発明の遊技機においては、前記突起を点状にするだけでなく、前記遊技盤の少なくとも四隅あるいは四隅の近傍に設ける構成とするとよい。四隅あるいはその近傍に設けることで、最小限の突起数で上述した作用・効果を発揮することができる。また、突起と突起の間が離れているので、遊技盤に若干の反りや変形が生じていたり、コーナー飾りの成形精度上の誤差や取り付け精度上の誤差があったとしても、各突起は、他の突起とガラス板との接触状態の影響でガラス板との間に隙間ができるといったことが生じ難い。よって、遊戯中に遊技球がガラス板に当たったときの衝撃等によるガタツキが生じ難い。
【００１７】
さらに、本発明の遊技機において、前述した構成に加えて、前記コーナー飾りは、遊技盤の右上隅部、右下隅部、左上隅部及び左下隅部のそれぞれに対応する部分に、同一高さの平面部を備え、前記突起として、前記平面部から表面側に突出する半球状の突起を少なくとも１個ずつ形成した構成とするとよい。
【００１８】
かかる構成を採用することにより、遊技盤から突起の頂点までの高さを精度よく実現することができる。また、突起を、遊技盤の四隅部分に分散した状態で配置できる。四隅に分散配置された４個以上の突起を有するので、遊技盤をバランス良く積み重ねることができる。また、各突起は、遊技盤の隅部に対応する比較的面積の広い部分に設けられる。面積が広い部分であるから、例えば、遊技盤の反りやねじれ等の影響で、いずれかの隅の突起とガラス板との接触力が他に比べて強い場合、ガラス板からの反力を当該隅部の面積の広い部分で吸収することができる。よって、突起が強く干渉してしまってガラス保持枠が閉じないといった事態の発生を有効に防止することができる。
【００１９】
ここで、コーナー飾りが遊技盤の四隅に対応する部分を有している遊技機において、前記平面部を、前記遊技領域に取り付けられる障害釘よりも低く形成される一方、該平面部から突出する前記突起を前記障害釘よりも高く形成しておくとよい。かかる構成を採用することで、半球状の突起を遊技盤の遊技領域に取りつけられる部品よりも確実に高い頂点を有するものとすることができる。よって、保管等における遊技盤の積み重ねによる障害釘等の変形や傷の発生を確実に防止することができ、ガラス板と突起との接触が遊技盤四隅における点接触となることで、強い干渉を避けることができ、本発明の第１の目的を確実に達成することができる。また、この様な構成とすることは、その結果として、ガラス板と四隅の突起との接触が確実となり、ガラス板のガタツキを防止してガラス板と遊技盤との距離を一定かつ安定的に保つという本発明の第２の目的をも確実に達成するものとなる。
【００２０】
また、同じく、コーナー飾りが遊技盤の四隅に対応する三角形状の部分を有している遊技機において、前記突起の高さを、ガラス板を保持するガラス保持枠を閉じたときに該ガラス板の内面に当接する高さとするとよい。これは、前述の如く遊技盤積み重ねの際の障害釘の変形等を有効に防止しつつ突起のガラス板に対する干渉を避けるという本発明の第１の目的に加えて、ガラス板と各突起とを確実に接触させることによってガラス板と遊技盤との距離を一定かつ安定的に保つという本発明の第２の目的をも確実に達成することができる。
【００２１】
なお、上述の様な作用・効果をより確実に達成するものとして、上述した遊技機において、前記突起の前記平面部からの突出量を０．９ｍｍ〜１．１ｍｍ（より好ましくは１．０ｍｍ）とするとよい。かかる構成を採用することで、遊技盤に植接された障害釘の先端とガラス板との距離を、ほぼ１ｍｍに維持することを可能にし、遊技球の落下動作の不良等を有効に防止することができる。
【００２２】
また、コーナー飾りとして四つの三角形状の部分を有する本発明の遊技機において、前記右上及び右下の三角形状の部分を一体成形により連結した右側コーナー飾りと、前記左上及び左下の三角形状の部分を一体成形により連結した左側コーナー飾りとに分割しておくとよい。右左に分割しておくことで、遊技盤のねじれ等がコーナー飾りに強く影響することを防止できるからである。なお、同じ二分割の構成とする方法に上下に分割する方法もあるが、左右二分割の場合、次の点で有利である。即ち、遊技盤は上下方向に長い構成となっているのが普通であるから、上下方向に一体に構成することで、コーナー飾りが上下方向の反りに対する抵抗力を発揮することとなる。この反りを防止する効果が高いことから、ガラス板と遊技盤との距離を一定に保つ効果が高くなるからである。また、上下方向の反りを防止する効果は、遊技盤を積み重ねたときの障害釘の変形等を防止する上でも有利になるからである。なお、このことは、四分割されたコーナー飾りを用いるのを排除する訳ではない。上述した様な上下方向の反り等による悪影響の防止という点では左右二分割のものよりも若干劣るが、三角形状の部分の平面部に半球状の突起を突設することによる作用・効果は発揮するからである。
【００２３】
また、上述した本発明の遊技機において、前記三角形状の部分には、前記突起の近傍に、前記平面部に続けて、複数の溝部が並んだ凹凸模様の彫刻的な装飾面を形成した構成とするとよい。彫刻的とは、外見的に見たときに平面部を彫り込んだ様な形態を意味する。なお、前記三角形状の部分の内、残球表示部など、他の凹凸部が設けられている部分には上記彫刻的な装飾面を設けなくてもよい。よって、前記三角形状の部分の内、残球表示部の窓などの他の凹凸部が設けられない部分には、前記平面部に続けて、複数の溝部が並んだ凹凸模様の彫刻的な装飾面を形成した構成とするとよいのである。
【００２４】
前述の様に、三角形状の部分の平面部に突起を備えることによりガラス板と接触した突起に作用する力にアンバランスが生じてもこれを吸収する上で有利なのであるが、その反面、三角形状の部分の裏側にリブ等による補強を施す必要が生じる可能性がある。しかしながら、上述の如く、彫刻的に凹凸を有する装飾面を平面部に続けて備えさせる様にすることで、この凹凸の並んだ部分がリブを追加しなくても補強の役割を果たし、しかも、これを単なる補強ではなく、装飾としても利用できるので、より有利となる。そして、この補強と装飾を兼ねることのできる彫刻的な装飾面を突起の近傍に設けることで、各突起に対して、押圧に抵抗する能力を高めることができる。よって、遊技盤積み重ね時の障害釘の変形等を防止しつつ、ガラス板と遊技盤との距離を一定に保ち、しかも、ガラス保持枠を閉じた状態で突起がガラス保持枠に干渉するのを抑制する上で、より有利なものということができる。
【００２５】
また、上述した様な本発明の遊技機を実施するのに、遊技盤の遊技領域を取り囲む様に取り付けられるコーナー飾りであって、遊技盤の右上隅部、右下隅部、左上隅部及び左下隅部のそれぞれに対応する三角形状の部分を備え、前記各三角形状の部分は、それぞれが同一高さの平面部を備え、前記各三角形状の部分のそれぞれに対し、前記平面部から表面側に突出する半球状の突起を少なくとも１個ずつ一体成形により形成したことを特徴とするコーナー飾りを用いるとよい。このコーナー飾りを用いることで、遊技盤を積み重ねたときに四隅の部分の突起で上側に重ねられる遊技盤の背面を支持し、下側の遊技盤に配置した障害釘の変形等を有効に防止することができ、かつ、遊技機として組み立てたときは四隅の突起がガラス板の内面に点接触する状態となることで、強い干渉を避けつつ、遊技盤とガラス板との距離を一定に保つことを可能にするからである。
【００２６】
また、このコーナー飾りにおいて、前記右上及び右下の三角形状の部分を一体成形により連結した右側コーナー飾りと、前記左上及び左下の三角形状の部分を一体成形により連結した左側コーナー飾りとに分割しておくとよい。遊技盤に取りつけたときの反りによる悪影響を排除する上で、左右二分割は、上下左右に四分割するよりも有利だからである。
【００２７】
さらに、上述した本発明のコーナー飾りにおいて、前記三角形状の部分の内、少なくとも一つに賞球残数表示部を備えさせ、前記賞球残数表示部が設けられていない三角形状の部分には、前記突起の近傍に、前記平面部に続けて、複数の溝部が並んだ凹凸模様の彫刻的な装飾面を形成した構成とするとよい。遊技盤に取りつけたとき、三角形状の部分の裏側にリブ等による補強を施さなくても、遊技盤積み重ね時の障害釘の変形等を防止しつつ、ガラス板と遊技盤との距離を一定に保ち、しかも、前枠を閉じた状態で突起が前枠に干渉するのを抑制する上で、より有利なものとなるからである。
【発明の効果】
【００２８】
本発明によれば、重ねて保管等しても遊技盤に植設した障害釘が変形したり、役物等に傷がついたりすることがない。
【発明を実施するための最良の形態】
【００２９】
以下、本発明を具体化した一実施形態のパチンコ機を図１〜図７に基づき詳細に説明する。なお本実施形態において「左」又は「右」とは、パチンコ機の表側（前面側）から見たときの「左」又は「右」を示すものとする。まず本実施形態のパチンコ機の基本的構成を説明する。 
【００３０】
図１に示す様に、このパチンコ機１は機体の外郭をなす縦長方形の外枠Ａを備えている。外枠Ａの開口前面側には、図２に示す様に、各種の遊技用構成部材をセットするための縦長方形の中枠Ｂが着脱可能に組み付けられている。そして、この中枠Ｂの前面側には、図１，図２に示す様に、遊技盤Ｃの透視保護窓である前枠Ｄが開閉可能に組み付けられている。また、図１に示す様に、前枠Ｄの下には、上の球受け皿Ｅが前枠Ｄと同様に開閉可能な様に組み付けられている。さらに、中枠Ｂの下部には、下の球受け皿Ｆ及び打球発射装置Ｇ等がセットされている。加えて、中枠Ｂの裏側には、図２に示す様に、各種の球経路及び球処理・払出部等を備えたセット盤Ｈが取り付けられている。なお、図１の符号Ｊは、球貸しシステムに利用されるカードユニットを示している。 
【００３１】
本実施形態のパチンコ機１の搭載枠とされる中枠Ｂは、全体的に合成樹脂材料を用いて成形されたものである。図２に示す様に、中枠Ｂは、外枠Ａの前面に取り付けられる枠体２と、この枠体２から内側へ張り出す保持枠３とを一体成形した二重枠構造を有している。保持枠３は、遊技盤Ｃをセットし、保持するためのものである。枠体２は、外枠Ａの開口前面域に適合する外形サイズに成形されていて、縦長方形の窓枠口４を形成する。保持枠３は、窓枠口４の正面内部に臨むセット口５を形成する。遊技盤Ｃは、このセット口５にセットされる。
【００３２】
セット盤Ｈは、図２に示す様に、その前面側に、遊技盤Ｃへの賞球の供給路等を設置するための空所６を形成する。セット盤Ｈの裏面側には、制御基板等の電子部品が取り付けられる。
【００３３】
前枠Ｄは、中枠Ｂの前面側に、左端をヒンジとして横開き可能に組み付けられる。前枠Ｄは、図２に示す様に、扉枠用の枠本体１１と、ガラス保持枠１２とを備えている。ガラス保持枠１２には、２枚の前ガラス板１３、後ガラス板１４が取り付けられる。図１に示す様に、前枠Ｄの枠本体１１には、遊技盤Ｃをガラス板１３，１４を通して視認できる様に樽型の窓開口１５が形成されている。また、前枠Ｄの上部には、図１，図２に示す様に、前枠ランプ１６が取り付けられている。
【００３４】
遊技盤Ｃの前面側には、図２，図３に示す様に、障害釘２１、始動入賞口２２、図柄可変表示装置２３、大型装飾部品２４、特別入賞口２５、案内車２６、電飾装置２７、アウト口２８、普通入賞口２９、通過口３０等の部品が取り付けられている。なお、本実施形態では、前記部品のうち、障害釘２１を除く、始動入賞口２２、大型装飾部品２４、案内車２６、電飾装置２７、普通入賞口２９、通過口３０のような遊技盤Ｃ表面から突出しており、遊技球の流下軌道に影響を与える可能性のあるものを役物という。また、遊技盤Ｃの前面側には、これら障害釘２１や役物等を取り囲む様に誘導レール３１が取り付けられている。この誘導レール３１により、遊技盤Ｃの遊技領域が形成される。また、誘導レール３１の外側を取り囲む様にコーナー飾り４０が取り付けられている。
【００３５】
コーナー飾り４０は、合成樹脂製であって、図３，図４に示す様に、遊技盤Ｃの右上隅部、右下隅部、左上隅部及び左下隅部のそれぞれに対応する三角形状部分４１，４２，４３，４４を備えている。そして、コーナー飾り４０は、右上及び右下の三角形状部分４１，４２を一体成形により連結した右側コーナー飾り４０Ｒと、左上及び左下の三角形状部分４３，４４を一体成形により連結した左側コーナー飾り４０Ｌとに分割されている。
【００３６】
各三角形状部分４１〜４４は、それぞれが同一高さの平面部４５〜４８を備えている。この平面部４５〜４８には、それぞれ、表面側に突出する半球状の突起５１〜５４が各１個ずつ一体成形により形成されている。また、三角形状部分４１〜４４の内、右下隅の三角形状部分４２の突起５２の近傍には賞球残数表示部５５が備えられている。ここで、賞球残数とは、賞球として払い出されるべき遊技球の残数、即ち未払い出し賞球数をいう。それ以外の三角形状部分４１，４３，４４には、突起５１，５３，５４の近傍に、平面部に続けて複数の溝部が並んだ凹凸模様の彫刻的な装飾面５６，５７，５８が形成されている。なお、符号６１は、背面側に突出する固定用ダボ６２を一体成形したことによって形成された筒状の孔である。
【００３７】
左上隅の三角形状部分４３には、図２に示す様に、前枠ランプ１６内のＬＥＤに制御信号を与えるための信号線を、中継コネクタ７０を介して取り付けるためのコネクタ収納部８０を備えている。このコネクタ収納部８０には、図１，図３，図７に示す様に、開閉式のコネクタカバー８１が取り付けられている。このコネクタカバー８１は、コネクタ収納部８０の上端側に形成したヒンジ部８２に嵌合する嵌合部８３を、その上端側に備えている。また、コネクタ収納部８０の下端側には、コネクタカバー８１の下端側に設けられた係合レバー８４を契合するための係合部８５が形成されている。コネクタ収納部８０は、図２，図７から明らかな様に、コーナー飾り４０Ｌの裏面（遊技盤にセットする面）よりもさらに、背面側に窪んだ形状に成形されている。そして、この窪んだ部分のほぼ中央に、中継コネクタ７０をセットするためのコネクタセット穴８６が形成されている。また、このコネクタセット穴８６の左側には、前方へ伸びる壁面８７が形成されている。そして、この壁面８７の左側に、制御基板側から伸びるワイヤハーネスを通すためのハーネス通過穴８８が形成されている。この制御基板側のワイヤハーネスは、ハーネス通過穴８８を介してコネクタ収納部８０に導入され、中継コネクタ７０に正面側から着脱自在に接続される。中継コネクタ７０には、同じく正面側から前枠ランプ１６の基板から伸びる入力用ワイヤハーネスも着脱自在に接続される。そして、この入力用ワイヤハーネスは、ハーネス通過穴８８の左に形成された側面開口８９を介して外部へ導出され、前枠ランプ１６へと敷設される様に構成されている。
【００３８】
本実施の形態では、コーナー飾り４０は、図６に示す様に、その平面部４５〜４７までの高さが遊技盤表面から１７．０ｍｍとなる様に設計されている。そして、半球状の突起５１〜５４は、それぞれ、平面部４５〜４７から頂点までの高さが１．０ｍｍとなる様に設計されている。従って、半球状の各突起５１〜５４の頂点は、遊技盤Ｃの盤面から１８．０ｍｍの高さとなる。なお、遊技盤Ｃに設置される障害釘２１や役物等は、いずれも、遊技盤Ｃの盤面からの高さが１８．０ｍｍ未満（本実施形態では１７．８ｍｍ）となる様に設計され、あるいは打ち込まれている。これら半球状の突起５１〜５４の高さは、図２に示す様に、前枠Ｄを閉じたとき、ガラス保持枠１２に保持されている後ガラス板１４の内面との間に略１ｍｍのクリアランスができる設計である。即ち、本実施の形態の遊技機１は、前枠Ｄを閉じたときに遊技盤Ｃの盤面から後ガラス板１４の内面までの距離を１８．０ｍｍとして設計してある。換言するなら、突起５１〜５４は、障害釘２１や役物等よりも高く、かつ、後ガラス板１４と当接する高さに設計されているのである。
【００３９】
また、コーナー飾り平面部４５〜４７、障害釘２１や役物等、突起５１〜５４及び後ガラス板１４の内面の、遊技盤Ｃの盤面からの高さの関係は、次の様になっている。
【００４０】
（コーナー飾り平面部）＜（障害釘や役物）＜（突起）＝（後ガラス内面）
【００４１】
そして、障害釘２１や役物等の高さと突起５１〜５４の高さとの差が１ｍｍ未満となり、突起５１〜５４の高さと後ガラス１４の内面の高さとの差を略１ｍｍとなる様に設計することで、コーナー飾りに成形誤差や取り付け誤差があっても、積み重ね保管等における障害釘や役物の損傷防止ができ、かつ、遊技機として使用される際の前枠の閉鎖不能を回避する効果が確実に発揮されている。
【００４２】
本実施の形態のパチンコ機１によれば、上述の様に、コーナー飾り４０に、遊技領域をその中心を通る垂直線及び水平線で４分した遊技盤Ｃの右上隅部、右下隅部、左上隅部及び左下隅部のそれぞれに対応する三角形状部分４１，４２，４３，４４に、遊技領域に配置された障害釘２１や役物等の設計上の高さ１７．０ｍｍよりも、設計上で頂点が１．０ｍｍ高くなる半球状の突起５１〜５４を備えたことにより、「遊技盤に取り付けたときに遊技領域に配置された部品よりも高い頂点を有し、遊技領域をその中心を通る直線で２分した二つの領域に分かれて配置され、かつ、それぞれが十分に距離をおいた３個以上の突起によって構成される突出部」を設けたので、製造、保管、輸送等の過程において遊技盤Ｃを積み重ねたとき、下側の遊技盤のコーナー飾りに設けた突出部が上側の遊技盤の背面を支え、下側の遊技盤の障害釘２１や役物等の部品に上側の遊技盤が接触することがなく、これらの障害釘２１や役物等が変形したり傷ついたりするのを防止することができる。また、実施の形態のパチンコ機１では突出部が連続することなく分かれて配置されているので、遊技盤Ｃにねじれ等があっても、コーナー飾り４０の突起５１〜５４は、それぞれの設けられた部分毎に内側のガラス板１４に接触するだけなので、ガラス保持枠Ｄを閉じることができなくなる様な強い干渉を与えることがない。そして、上述した様な領域に分かれて突起５１〜５４が配置されているので、突起が遊技領域を取り囲む用に連続していなくても、遊技盤Ｃを積み重ねる際の支えとしての機能を損なうことがない。
【００４３】
また、実施の形態のパチンコ機１では、突起５１〜５４を半球状とし、十分に距離をおいて配置することにより、「突起を点状に配置」したので、ガラス保持枠１２を閉じたときの干渉をより小さくすることができている。
【００４４】
さらに、実施の形態のパチンコ機１では、コーナー飾り４０の右上隅部、右下隅部、左上隅部及び左下隅部の各三角形状部分４１，４２，４３，４４に半球状の突起５１〜５４を備えたことにより、「点状の突起を遊技盤の少なくとも四隅あるいは四隅の近傍に設ける構成」としたので、最小限の突起数で上述した作用・効果を発揮することができる。また、突起と突起の間が十分に離れているので、遊技盤Ｃに若干の反りや変形が生じていたり、コーナー飾り４０の成形精度上の誤差や取り付け精度上の誤差があったとしても、各突起５１〜５４は、他の突起とガラス板１４との接触状態の影響でガラス板１４との間に隙間ができるといったことが生じ難い。よって、遊戯中に遊技球がガラス板１４に当たったときの衝撃等によるガタツキが生じ難い。
【００４５】
また、実施の形態のパチンコ機１では、「コーナー飾りは、遊技盤の右上隅部、右下隅部、左上隅部及び左下隅部のそれぞれに対応する三角形状の部分を備え、各三角形状の部分は、それぞれが同一高さの平面部を備え、突起として、各三角形状の部分のそれぞれに対し、平面部から表面側に突出する半球状の突起を少なくとも１個ずつ一体成形により形成した構成」ともなっているので、遊技盤Ｃの盤面から突起５１〜５４の頂点までの高さを精度よく実現することができる。また、かかる構成を備えたことにより、突起５１〜５４を、上述のようなガタツキ防止効果の高い分散位置に配置することできている。そして、各突起は、いずれも三角形状の比較的面積の広い部分に設けられるので、遊技盤Ｃの反りやねじれ等の影響で、いずれかの隅の突起とガラス板１４との接触力が他に比べて強い場合であっても、ガラス板１４からの反力を三角形状の広い部分で吸収することができる。よって、突起５１〜５４が強く干渉してしまってガラス保持枠１２が閉じないといった事態の発生を有効に防止することができる。
【００４６】
さらに、実施の形態にパチンコ機１では、上述の高さとなる様にコーナー飾り４０の平面部４５〜４８の高さを、「遊技領域に取り付けられる障害釘や役物等の部品の遊技盤表面からの高さ以上」としたので、半球状の突起５１〜５４を遊技盤Ｃの遊技領域に取りつけられる部品よりも確実に高い頂点を有するものとすることができている。よって、保管等における遊技盤Ｃの積み重ねによる障害釘２１や役物等に対する変形や傷の発生を確実に防止することができ、ガラス板１４と突起５１〜５４との接触が遊技盤四隅における点接触となることで、強い干渉を避けることができ、「重ねて保管等しても遊技盤に植設した障害釘が変形したり、役物等に傷がついたりするのを防止する」という効果を的確に発揮することができる。また、この平面部４５〜４８の高さを障害釘２１等の高さ以上とすることは、その結果として、ガラス板１４と四隅の突起５１〜５４との接触が確実となり、ガラス板１４のガタツキを防止してガラス板１４と遊技盤Ｃとの距離を一定かつ安定的に保つという効果をも達成するものとなる。
【００４７】
また、実施の形態のパチンコ機１では、遊技盤Ｃの四隅に当たる位置に設けられる突起５１〜５４の高さを、ガラス保持枠１２を閉じたときに内側のガラス板１４の内面に当接する高さであり、かつ、遊技盤Ｃとガラス板１４の内面との間に確保すべき間隔と一致する様に設計されているので、遊技盤積み重ねの際の障害釘の変形等を有効に防止しつつ突起のガラス板に対する干渉を避けるという効果に加えて、ガラス板１４と各突起５１〜５４とを確実に接触させることを可能にし、これによってガラス板１４と遊技盤Ｃとの距離を一定かつ安定的に保つこともできている。そして、遊技盤Ｃに植接された障害釘２１の先端とガラス板との距離を適切に確保し、遊技球の落下動作の不良等を防止することができるという効果も発揮する。
【００４８】
さらに、実施の形態のパチンコ機１のコーナー飾り４０は、右上及び右下の三角形状部分４１，４２を一体成形により連結した右側コーナー飾り４０Ｒと、左上及び左下の三角形状部分４３，４４を一体成形により連結した左側コーナー飾り４０Ｌとに分割されているので、遊技盤Ｃのねじれ等がコーナー飾り４０に強く影響することを防止できる。特に、左右二分割なので、上下方向に長い構成となっている普通の遊技盤Ｃにおいて、コーナー飾り４０が、上下方向の反りに対する抵抗力を発揮することとなる。この反りを防止する効果が高いことから、本実施の形態のパチンコ機１は、ガラス板１４と遊技盤Ｃとの距離を一定に保つ効果が高くなっている。また、上下方向の反りを防止する効果は、遊技盤を積み重ねたときの障害釘の変形等を防止する上でも有利に作用する。
【００４９】
また、実施の形態のパチンコ機１では、右上、左上、左下の三角形状部分４１，４３，４４に、半球状の突起５１，５３，５４の近傍に、平面部４５，４７，４８に続けて彫刻的に凹凸を有する装飾面５６〜５８を備えさせたので、この凹凸の並んだ部分がリブを追加しなくても補強の役割を果たし、しかも、前枠Ｄの窓開口１５を遊技領域の上下の部分まで広がった樽型形状としたので、単なる補強だけでなく、装飾としても利用できるという有利な効果を発揮する。そして、この補強と装飾を兼ねることのできる彫刻的な装飾面５６〜５８を突起５１，５３，５４の近傍に設けることで、各突起５１，５３，５４に対して、押圧に抵抗する能力を高めることができる。よって、遊技盤積み重ね時の障害釘２１の変形等を防止しつつ、ガラス板１４と遊技盤Ｃとの距離を一定に保ち、しかも、ガラス保持枠１２を閉じた状態で突起５１〜５４がガラス保持枠に干渉するのを抑制する上で、より有利なものということができる。なお、右下の三角形状部分４２には、彫刻的な装飾面を備えない構成であるが、代わりに、賞球残数表示部５５として窪んだ部分を設けることで平面部４６に続けて凹凸面を形成したので、彫刻的な装飾面５６〜５８と同様の作用・効果が発揮される。
【００５０】
さらに、本実施の形態のパチンコ機１では、三角形状部分４１〜４３の内の一つの三角形状部分４３に、前枠ランプ１６内のＬＥＤに制御信号を与えるために制御基板から伸びるワイヤハーネスを中継するための中継コネクタ７０を取り付けるためのコネクタ収納部８０を備えたので、遊技盤Ｃを貫通する方向にワイヤハーネスを敷設することができる。この結果、制御基板から前枠ランプ１６へのワイヤハーネスの取り回しが簡単になる。しかも、中継コネクタ７０を介して制御基板から伸びるワイヤハーネスと前枠ランプ１６から伸びるワイヤハーネスとを着脱自在に接続する構成としたので、パチンコ機１の組み立てが容易になると共に、遊技盤Ｃを更新する際の分解・組立の作業も簡単になるという効果を発揮する。そして、図１，図３，図７に示す様に、コネクタ収納部８０には、装飾面５７と連続的な模様を有するコネクタカバー８１を取り付けたので、パチンコ機１の外観を損なうこともなく、しかも、このコネクタカバー８１はヒンジ部８２を介して上下方向に開閉可能な構成としたので、組み立て時はもちろん、ホール設置後の点検等も容易である。
【００５１】
以上、発明を実施するための最良の形態としての一実施形態を説明したが、本発明は、これに限定されるものではなく、その要旨を逸脱しない範囲内における種々の変更が可能である。
【００５２】
例えば、実施の形態では、半球状の突起５１〜５４をコーナー飾り４０Ｒ，４０Ｌに一体成形により形成する構成としたが、別体にてコーナー飾りに植え付ける構成とすることもできる。この様に構成する場合、例えば、コーナー飾りの表面から頂点までの高さが０．９ｍｍ，１．０ｍｍ，１．１ｍｍといった具合にいくつかのパターンで突起を用意しておき、機種に応じて、ガラス板の振動が発生し易い機種では、ガラス板との接触が強くなる様により高さの高いものを植え付けるといった組み立て方をすることができる。
【００５３】
また、本実施の形態では遊技盤Ｃを四分した位置にそれぞれ半球状の突起５１〜５４を設けたが、十分に距離を離して３個の突起を設ける構成とすることもできる。これは、十分に距離を離した３点以上の支点があれば、ガラス板を遊技盤と一定距離に安定的に保持する機能や、積み重ね保管時における上の遊技盤の背面が障害釘等に接触するのを防止する効果を発揮し得るからである。逆に、４個に限らず、５個以上の突起を分散配置することもできる。
【００５４】
さらに、別例として、コーナー飾り４０は、図８に示す様に、その平面部４５〜４７までの高さを遊技盤表面から１７．０ｍｍとなる様に設計し、半球状の突起５１〜５４を、それぞれ、平面部４５〜４７から頂点までの高さが１．０ｍｍとなる様に設計し、半球状の各突起５１〜５４の頂点は、遊技盤Ｃの盤面から１８．０ｍｍの高さとなる様にし、遊技盤Ｃに設置される障害釘２１や役物等は、いずれも、遊技盤Ｃの盤面からの高さが１８．０ｍｍ未満となる様にすることができる。これら半球状の突起５１〜５４の高さは、図８に示す様に、前枠Ｄを閉じたとき、ガラス保持枠１２に保持されている後ガラス板１４の内面との間に略１ｍｍのクリアランスができる設計である。即ち、遊技機１は、前枠Ｄを閉じたときに遊技盤Ｃの盤面から後ガラス板１４の内面までの距離を１９．０ｍｍとして設計することもできる。換言するなら、突起５１〜５４は、障害釘２１や役物等よりも高く、かつ、後ガラス板１４との間に略１ｍｍのクリアランスが確保される高さに設計してもよい。
【００５５】
また、コーナー飾り平面部４５〜４７、障害釘２１や役物等、突起５１〜５４及び後ガラス板１４の内面の、遊技盤Ｃの盤面からの高さの関係は、次の様にすることができる。
【００５６】
（コーナー飾り平面部）＜（障害釘や役物）＜（突起）＜（後ガラス内面）
【００５７】
この様に、障害釘２１や役物等の高さと突起５１〜５４の高さとの差が略１ｍｍとなり、突起５１〜５４の高さと後ガラス１４の内面の高さとの差も略１ｍｍとなる様に設計することで、コーナー飾りに成形誤差や取り付け誤差があっても、積み重ね保管等における障害釘や役物の損傷防止ができ、かつ、遊技機として使用される際の前枠の閉鎖不能を回避する効果が確実に発揮することができる。
【図面の簡単な説明】
【００５８】
【図１】実施の形態のパチンコ機の正面図である。
【図２】実施の形態のパチンコ機の拡大断面図である。
【図３】実施の形態のパチンコ機に装着される遊技盤の正面図である。
【図４】実施の形態のパチンコ機の遊技盤に装着されるコーナー飾りを示し、（Ａ）は正面図、（Ｂ）はＡ−Ａ断面図である。
【図５】実施の形態のパチンコ機の遊技盤に装着される右側のコーナー飾りを示し、（Ａ）は正面側から見た斜視図、（Ｂ）は背面側から見た斜視図である。
【図６】実施の形態のパチンコ機の遊技盤に装着される右側のコーナー飾りの拡大側面図ある。
【図７】実施の形態のパチンコ機の遊技盤を縦に切断した左側の部分を正面側から見た斜視図ある。
【図８】別例の説明図ある。
【符号の説明】
【００５９】
１・・・パチンコ機
１２・・・ガラス保持枠
１３，１４・・・ガラス板
１５・・・樽型の窓開口
１６・・・前枠ランプ
２１・・・障害釘
２２・・・始動入賞口
２３・・・図柄可変表示装置
２４・・・大型装飾部品
２５・・・特別入賞口
２６・・・案内車
２７・・・電飾装置
２８・・・アウト口
３１・・・誘導レール
４０・・・コーナー飾り
４０Ｒ・・・右側コーナー飾り
４０Ｌ・・・左側コーナー飾り
４１・・・右上三角形状部分
４２・・・右下三角形状部分
４３・・・左上三角形状部分
４４・・・左下三角形状部分
４５〜４８・・・平面部
５１〜５４・・・半球状の突起
５５・・・賞球残数表示部
５６〜５８・・・彫刻的な装飾面
６１・・・筒状の孔
６２・・・固定用ダボ
７０・・・中継コネクタ
８０・・・コネクタ収納部
８１・・・コネクタカバー
８２・・・ヒンジ部
８３・・・嵌合部
８４・・・係合レバー
８５・・・係合部
８６・・・コネクタセット穴
８７・・・壁面
８８・・・ハーネス通過穴
８９・・・側面開口
Ａ・・・外枠
Ｂ・・・中枠
Ｃ・・・遊技盤
Ｄ・・・前枠
Ｅ・・・上の球受け皿
Ｆ・・・下の球受け皿
Ｇ・・・打球発射装置
Ｈ・・・セット盤
Ｊ・・・カードユニット
【図１】
2005168647.tif 000003
【図２】
2005168647.tif 000004
【図３】
2005168647.tif 000005
【図４】
2005168647.tif 000006
【図５】
2005168647.tif 000007
【図６】
2005168647.tif 000008
【図７】
2005168647.tif 000009
【図８】
2005168647.tif 000010
【手続補正書】
【提出日】平成15年12月10日(2003.12.10)
【手続補正１】
【補正対象書類名】図面
【補正対象項目名】図３
【補正方法】変更
【補正の内容】
【図３】
2005168647.tif 000011